(57)【要約】【課題】隙間調整作業の作業効率を向上させることができるスカートガード隙間調整装置を得る。【解決手段】複数の踏段１１と、踏段１１の幅方向端面に対して幅方向に対向して設けられた複数のスカートガード１２と、スカートガード１２を支持するＬ字アングル１３とを備えたエスカレーター１におけるスカートガード１２と踏段１１との間の隙間Ｔ１を調整する際に用いられるスカートガード隙間調整装置であって、簡易板部２１と、簡易板部２１に設けられ、Ｌ字アングル１３に支持される簡易クリップ２２とを有する簡易スカートガード２を備え、簡易板部２１には、簡易板部２１よりも幅方向内側からＬ字アングル１３の幅方向位置の調整が可能な作業窓２１１が形成されている。【選択図】図２
2019014559.tif 000002
【特許請求の範囲】
【請求項１】
複数の踏段と、前記踏段の幅方向端面に対して幅方向に対向して設けられた複数のスカートガードと、前記スカートガードを支持する支持部材とを備えた乗客コンベヤにおける前記スカートガードと前記踏段との間の隙間を調整する際に用いられるスカートガード隙間調整装置であって、
簡易板部と、前記簡易板部に設けられ、前記支持部材に支持される簡易クリップとを有する簡易スカートガードを備え、
前記簡易板部には、前記簡易板部よりも幅方向内側から前記支持部材の幅方向位置が調整可能な作業窓が形成されているスカートガード隙間調整装置。
【請求項２】
複数の前記踏段の中から一部の前記踏段が取り外されて形成された踏段開口部に取り付けられる簡易踏段をさらに備え、
前記簡易踏段の幅方向寸法は、前記踏段の幅方向寸法と一致しており、
前記簡易踏段の踏板およびライザにおける幅方向中間部には、空間が形成されている請求項１に記載のスカートガード隙間調整装置。
【請求項３】
前記簡易スカートガードは、前記簡易板部と前記簡易踏段との間に配置されるように前記簡易板部に設けられ肉厚部をさらに有し、
前記肉厚部が前記簡易踏段に接触された場合に、前記支持部材の幅方向位置が、前記スカートガードと前記踏段との間の隙間が所定寸法となる位置となる請求項２に記載のスカートガード隙間調整装置。
【請求項４】
前記簡易スカートガードは、前記簡易板部に設けられた把持部をさらに有している請求項１から請求項３までの何れか一項に記載のスカートガード隙間調整装置。
【請求項５】
複数の踏段と、前記踏段の幅方向端面に対して幅方向に対向して設けられた複数のスカートガードと、前記スカートガードを支持する支持部材とを備えた乗客コンベヤにおける前記スカートガードと前記踏段との間の隙間を調整するスカートガード隙間調整方法であって、
簡易板部と、前記簡易板部に設けられ、前記支持部材に支持される簡易クリップとを有し、前記簡易板部には、前記簡易板部よりも幅方向内側から前記支持部材の幅方向位置が調整可能な作業窓が形成されている簡易スカートガードを前記支持部材に支持させる簡易スカートガード取付工程と、
前記簡易スカートガード取付工程の後、前記作業窓を利用して前記支持部材の幅方向位置を調整することによって、前記簡易板部と前記踏段との間の隙間を調整する隙間調整工程と
を備えたスカートガード隙間調整方法。
【発明の詳細な説明】
【技術分野】
【０００１】
この発明は、踏段とスカートガードとの間の隙間を調整する際に用いられるスカートガード隙間調整装置およびこれを用いたスカートガード隙間調整方法に関する。
【背景技術】
【０００２】
従来、スカートガードを着脱可能に支持する支持部材からスカートガードが取り外された状態で支持部材に取り付けられるスカートガード隙間調整装置であって、取り外されるスカートガードの幅方向寸法よりも幅方向寸法が小さい簡易板部と、簡易板部に設けられ、支持部材に支持される簡易クリップとを備えたスカートガード隙間調整装置が知られている（例えば、特許文献１参照）。
【先行技術文献】
【特許文献】
【０００３】
【特許文献１】特開２０１６−６９１０２号公報
【発明の概要】
【発明が解決しようとする課題】
【０００４】
しかしながら、簡易板部の幅方向寸法がスカートガードの幅方向寸法よりも小さいので、スカートガード隙間調整装置を支持部材に対して長手方向にスライドさせながら、簡易板部と踏段との間の隙間を調整しなければならず、隙間調整作業の作業効率が悪いという問題点があった。
【０００５】
この発明は、上述のような課題を解決するためになされたものであり、その目的は、隙間調整作業の作業効率を向上させることができるスカートガード隙間調整装置およびスカートガード隙間調整方法を提供するものである。
【課題を解決するための手段】
【０００６】
この発明に係るスカートガード隙間調整装置は、複数の踏段と、踏段の幅方向端面に対して幅方向に対向して設けられた複数のスカートガードと、スカートガードを支持する支持部材とを備えた乗客コンベヤにおけるスカートガードと踏段との間の隙間を調整する際に用いられるスカートガード隙間調整装置であって、簡易板部と、簡易板部に設けられ、支持部材に支持される簡易クリップとを有する簡易スカートガードを備え、簡易板部には、簡易板部よりも幅方向内側から支持部材の幅方向位置の調整が可能な作業窓が形成されている。
【発明の効果】
【０００７】
この発明に係るスカートガード隙間調整装置によれば、簡易板部には、簡易板部よりも幅方向内側から支持部材の幅方向位置の調整が可能な作業窓が形成されているので、簡易板部の幅方向寸法をスカートガードの幅方向寸法と一致させることができる。これにより、スカートガード隙間調整装置を支持部材に対して長手方向にスライドさせながら簡易板部と踏段との間の隙間を調整する必要がなくなる。その結果、隙間調整作業の作業効率を向上させることができる。
【図面の簡単な説明】
【０００８】
【図１】この発明の実施の形態１に係るスカートガード隙間調整装置を用いて隙間調整作業が行われるエスカレーターの要部を示す断面図である。
【図２】図１の踏段とスカートガードとの間の隙間を調整する際に用いられるスカートガード隙間調整装置を示す構成図である。
【図３】図２のスカートガード隙間調整装置を示す側面図である。
【図４】図１の踏段とスカートガードとの間の隙間を調整する際に用いられるスカートガード隙間調整装置を示す構成図である。
【図５】スカートガード隙間調整装置を用いてスカートガードと踏段との間の隙間を調整するスカートガード隙間調整方法を示すフローチャートである。
【図６】図２のスカートガード隙間調整装置を用いてスカートガードと踏段との間の隙間を調整する様子を示す図である。
【図７】この発明の実施の形態２に係るスカートガード隙間調整装置を示す構成図である。
【発明を実施するための形態】
【０００９】
実施の形態１．
図１はこの発明の実施の形態１に係るスカートガード隙間調整装置を用いて隙間調整作業が行われるエスカレーターの要部を示す断面図である。乗客コンベヤであるエスカレーター１は、複数の踏段１１と、踏段１１の幅方向端面に対して幅方向に対向して設けられた複数のスカートガード１２と、スカートガード１２を支持する支持部材であるＬ字アングル１３とを備えている。また、エスカレーター１は、主枠に対して固定されＬ字アングル１３が固定される固定部材１４と、Ｌ字アングル１３を固定部材１４に対して固定する締結部材１５とを備えている。
【００１０】
スカートガード１２は、踏段１１を幅方向に挟むように配置されている。一対のＬ字アングル１３は、高さ方向に離れて配置されている。Ｌ字アングル１３は、エスカレーターの長手方向に延びて配置されている。
【００１１】
締結部材１５は、ボルトおよびナットから構成されている。締結部材１５による固定部材１４に対するＬ字アングル１３の固定が解除された場合に、Ｌ字アングル１３は、幅方向に移動可能となっている。この例で、幅方向とは、踏段１１についての幅方向であって、図１の矢印Ａの方向である。
【００１２】
Ｌ字アングル１３の幅方向位置を調整することによって、踏段１１とスカートガード１２との間の隙間Ｔ１が調整される。踏段１１とスカートガード１２との間の隙間Ｔ１が所定寸法となった場合に、締結部材１５を用いてＬ字アングル１３を固定部材１４に対して固定する。
【００１３】
図２は図１の踏段とスカートガードとの間の隙間を調整する際に用いられるスカートガード隙間調整装置を示す構成図、図３は図２のスカートガード隙間調整装置を示す側面図である。スカートガード隙間調整装置は、簡易板部２１と、簡易板部２１に設けられ、Ｌ字アングル１３に支持される４個の簡易クリップ２２と、簡易板部２１に設けられた２個の把持部２３とを有する簡易スカートガード２を備えている。
【００１４】
簡易板部２１の厚さ方向の寸法Ｔ２は、スカートガード１２の厚さ方向の寸法と一致している。また、簡易板部２１の長手方向の寸法Ｔ３は、スカートガード１２の長手方向の寸法と一致している。なお、簡易板部２１の長手方向の寸法Ｔ３は、スカートガード１２の長手方向に対してわずかに短い寸法であってもよい。この場合、簡易板部２１をＬ字アングル１３に容易に着脱することができる。
【００１５】
簡易板部２１には、簡易板部２１よりも幅方向内側からＬ字アングル１３の幅方向位置が調整可能な作業窓２１１が形成されている。この例では、簡易板部２１よりも幅方向内側とは、簡易板部２１よりも幅方向について踏段３側という意味である。
【００１６】
４個の簡易クリップ２２の中の２個の簡易クリップ２２は、簡易板部２１における上部に配置されている。簡易板部２１の上部に配置された２個の簡易クリップ２２は、簡易板部２１の長手方向に離れて配置されている。簡易板部２１における上部に配置されている２個の簡易クリップ２２は、上下方向に離れて設けられた一対のＬ字アングル１３の中の上方に配置されたＬ字アングル１３に支持される。
【００１７】
４個の簡易クリップ２２の中の２個の簡易クリップ２２は、簡易板部２１における下部に配置されている。簡易板部２１の下部に配置された２個の簡易クリップ２２は、簡易板部２１の長手方向に離れて配置されている。簡易板部２１における下部に配置されている２個の簡易クリップ２２は、上下方向に離れて設けられた一対のＬ字アングル１３の中の下方に配置されたＬ字アングル１３に支持される。
【００１８】
図４は図１の踏段とスカートガードとの間の隙間を調整する際に用いられるスカートガード隙間調整装置を示す構成図である。スカートガード隙間調整装置は、簡易踏段３をさらに備えている。簡易踏段３は、幅方向両端部に設けられた一対の踏段側部３１と、一対の踏段側部３１を連結する複数の連結部材３２とを有している。簡易踏段３の踏板３１１およびライザ３１２における幅方向中間部には、空間３３が形成されている。簡易踏段３に空間３３が形成されているので、簡易踏段３は、踏段１１と比較して軽量化されている。
【００１９】
簡易踏段３は、複数の踏段１１の中から一部の踏段１１が取り外されて形成された踏段開口部に取り付けられる。簡易踏段３の幅方向寸法Ｔ４は、踏段１１の幅方向寸法と一致している。
【００２０】
連結部材３２は、踏段１１の幅方向寸法に合わせて簡易踏段３の幅方向寸法が調整できるように、長手方向に伸縮可能となっている。
【００２１】
次に、スカートガード隙間調整装置を用いてスカートガード１２と踏段１１との間の隙間を調整するスカートガード隙間調整方法について説明する。図５はスカートガード隙間調整装置を用いてスカートガードと踏段との間の隙間を調整するスカートガード隙間調整方法を示すフローチャート、図６は図２のスカートガード隙間調整装置を用いてスカートガードと踏段との間の隙間を調整する様子を示す図である。
【００２２】
まず、ステップＳ１０１において、踏段取外工程を行う。踏段取外工程では、複数の踏段１１の中から一部の踏段１１を取り外して、踏段開口部を形成する。
【００２３】
踏段取外工程の後、ステップＳ１０２において、スカートガード取外工程を行う。スカートガード取外工程では、踏段開口部に対向するスカートガード１２をＬ字アングル１３から取り外す。
【００２４】
スカートガード取外工程の後、ステップＳ１０３において、簡易スカートガード取付工程を行う。簡易スカートガード取付工程では、簡易スカートガード２をＬ字アングルに支持させる。
【００２５】
簡易スカートガード取付工程の後、ステップＳ１０４において、簡易踏段取付工程を行う。簡易踏段取付工程では、踏段開口部に簡易踏段３を配置する。
【００２６】
簡易踏段取付工程の後、ステップＳ１０５において、隙間調整工程を行う。隙間調整工程では、作業窓２１１を利用してＬ字アングル１３の幅方向位置を調整することによって、簡易板部２１と簡易踏段３との間の隙間を調整する。このとき、簡易板部２１と簡易踏段３との間の隙間Ｔ５が、スカートガード１２と踏段１１との間の隙間Ｔ１についての所定寸法と同じ寸法となるように調整する。
【００２７】
隙間調整工程の後、ステップＳ１０６において、支持部材固定工程を行う。支持部材固定工程では、締結部材１５を用いてＬ字アングル１３を固定部材１４に対して固定する。
【００２８】
支持部材固定工程の後、ステップＳ１０７において、簡易踏段取外工程を行う。簡易踏段取外工程では、簡易踏段３を踏段開口部から取り外す。
【００２９】
簡易踏段取外工程の後、ステップＳ１０８において、簡易スカートガード取外工程を行う。簡易スカートガード取外工程では、Ｌ字アングル１３から簡易スカートガード２を支持させる。
【００３０】
簡易スカートガード取外工程の後、ステップＳ１０９において、スカートガード取付工程を行う。スカートガード取付工程では、Ｌ字アングル１３にスカートガード１２を取り付ける。
【００３１】
スカートガード取付工程の後、ステップＳ１１０において、踏段取付工程を行う。踏段取付工程では、踏段開口部に踏段１１を取り付ける。以上により、スカートガード隙間調整装置を用いてスカートガード１２と踏段１１との間の隙間Ｔ１を調整するスカートガード隙間調整方法が終了する。
【００３２】
以上説明したように、この発明の実施の形態１に係るスカートガード隙間調整装置によれば、簡易板部２１と、簡易板部２１に設けられ、Ｌ字アングル１３に支持される簡易クリップ２２とを有する簡易スカートガード２を備え、簡易板部２１には、簡易板部２１よりも幅方向内側からＬ字アングル１３の幅方向位置が調整可能な作業窓２１１が形成されているので、簡易板部２１の幅方向寸法をスカートガード１２の幅方向寸法と一致させることができる。これにより、スカートガード隙間調整装置をＬ字アングル１３に対して長手方向にスライドさせながら簡易板部２１と踏段１１との間の隙間を調整する必要がなくなる。その結果、隙間調整作業の作業効率を向上させることができる。
【００３３】
また、このスカートガード隙間調整装置は、複数の踏段１１の中から一部の踏段１１が取り外されて形成された踏段開口部に取り付けられる簡易踏段３をさらに備え、簡易踏段３の幅方向寸法は、踏段１１の幅方向寸法と一致しており、簡易踏段３の踏板３１１およびライザ３１２における幅方向中間部には、空間３３が形成されているので、手動運転によって踏段１１を移動させることなく、スカートガード１２と踏段１１との間の隙間を調整することができる。
【００３４】
また、簡易スカートガード２は、簡易板部２１に設けられた把持部２３をさらに有しているので、簡易スカートガード２のＬ字アングル１３への着脱を容易に行うことができる。
【００３５】
この発明の実施の形態１に係るスカートガード隙間調整方法によれば、簡易スカートガード２をＬ字アングル１３に支持させる簡易スカートガード取付工程と、簡易スカートガード取付工程の後、作業窓２１１を利用してＬ字アングル１３の幅方向位置を調整することによって、簡易板部２１と簡易踏段３との間の隙間を調整する隙間調整工程とを備えているので、簡易板部２１の幅方向寸法をスカートガード１２の幅方向寸法と一致させることができる。これにより、スカートガード隙間調整装置をＬ字アングル１３に対して長手方向にスライドさせながら簡易板部２１と簡易踏段３との間の隙間を調整する必要がなくなる。その結果、隙間調整作業の作業効率を向上させることができる。
【００３６】
実施の形態２．
図７はこの発明の実施の形態２に係るスカートガード隙間調整装置を示す構成図である。この発明の実施の形態２に係るスカートガード隙間調整装置では、簡易スカートガード２は、簡易板部２１と簡易踏段３との間に配置されるように簡易板部２１に設けられ肉厚部２４をさらに有している。
【００３７】
肉厚部２４の幅方向の寸法Ｔ６は、スカートガード１２と踏段１１との間の隙間Ｔ１についての所定寸法と同じ寸法となっている。したがって、肉厚部２４が簡易踏段３に接触された場合に、Ｌ字アングル１３の幅方向位置が、スカートガード１２と踏段１１との間の隙間Ｔ１が所定寸法となる位置となる。その他の構成は、実施の形態１と同様である。
【００３８】
以上説明したように、この発明の実施の形態２に係るスカートガード隙間調整装置によれば、簡易スカートガード２は、簡易板部２１と簡易踏段３との間に配置されるように簡易板部２１に設けられ肉厚部２４をさらに有し、肉厚部２４が簡易踏段３に接触された場合に、Ｌ字アングル１３の幅方向位置が、スカートガード１２と踏段１１との間の隙間Ｔ１が所定寸法となる位置となるので、簡単に、スカートガード１２と踏段１１との間の隙間Ｔ１を所定寸法とすることができる。
【００３９】
なお、各上記実施の形態では、乗客コンベヤとしてエスカレーターを例に説明したが、動く歩道であってもよい。
【００４０】
また、各上記実施の形態では、既設の踏段１１および既設のスカートガード１２を取り外した後に、簡易スカートガード２および簡易踏段３を取り付けるスカートガード隙間調整方法について説明したが、エスカレーターの据付工事において、踏段１１およびスカートガード１２が取り付けられる前に、簡易スカートガード２および簡易踏段３を取り付けるスカートガード隙間調整方法であってもよい。
【００４１】
また、各上記実施の形態では、踏段開口部に簡易踏段３を配置して、簡易スカートガード２および簡易踏段３を用いて、スカートガード１２と踏段１１との間の隙間Ｔ１を調整する構成について説明したが、手動運転によって踏段１１を移動させた後に、簡易スカートガード２と踏段１１との間の隙間を調整して、スカートガード１２と踏段１１との間の隙間Ｔ１を調整する構成であってもよい。
【符号の説明】
【００４２】
１  エスカレーター、２  簡易スカートガード、３  簡易踏段、１１  踏段、１２  スカートガード、１３  Ｌ字アングル、１４  固定部材、１５  締結部材、２１  簡易板部、２２  簡易クリップ、２３  把持部、２４  肉厚部、３１  踏段側部、３２  連結部材、３３  空間、２１１  作業窓、３１１  踏板、３１２  ライザ。
【図１】
2019014559.tif 000003
【図２】
2019014559.tif 000004
【図３】
2019014559.tif 000005
【図４】
2019014559.tif 000006
【図５】
2019014559.tif 000007
【図６】
2019014559.tif 000008
【図７】
2019014559.tif 000009